【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
耐圧性の壁部（１３）および少なくとも１つの耐腐食性の内部ガス・ガイド・パイプ（４）を有する、ホットガスを冷却するためのデバイス。
【請求項２】
少なくとも、ガス入口（１２）、耐圧性の壁部（１３）を有する耐圧性の容器（２）、コンタクト・ゾーン（４）、凝縮生成物（６）を受け入れるためのヘッド領域（３２）および液溜め領域（３１）、冷却されたガス（３）のための出口（３３、９）、液溜め領域（３１）から熱交換器（１０）を通してヘッド領域（３２）へ凝縮生成物（６）を運ぶ循環回路（７、８、１０、２５）を有するデバイスであって、コンタクト・ゾーン（４）は１又はそれ以上のコンタクト・パイプ（４）を有しており、該コンタクト・パイプ（４）の中で凝縮生成物（６）はホットガス（１）と接触させられ、該コンタクト・パイプ（４）は耐腐食性の内部ガス・ガイド・パイプを形成することを特徴とする請求項１に記載のデバイス。
【請求項３】
容器（２）の液溜め領域（３１）にガス入口（１２）が配置されており、容器（２）のヘッド領域（３２）にガス出口（３３）が配置されおり、コンタクト・パイプ（４）中のガス（１）はコンタクト・パイプ（４）の中で凝縮生成物（６）に対して向流で接触することを特徴とする請求項２に記載のデバイス。
【請求項４】
容器（２）のヘッド領域（３２）にガス入口（９）が配置されており、容器（２）の液溜め領域（３１）にガス出口（１３）が配置されており、ガス（１）はコンタクト・パイプ（４）の中で凝縮生成物（６）と並流で接触することを特徴とする請求項２に記載のデバイス。
【請求項５】
デバイスの耐圧性の壁部（１３）が、鋼、鋼合金、特に、クロム、ニッケルもしくはモリブデンとの鋼合金、タンタルおよびタンタル合金からなる群から選ばれた材料によって形成されており、場合によって、前記材料はプラスチック材料もしくはその他の金属材料によってライニングされるかまたは少なくとも部分的に被覆されていることを特徴とする請求項１に記載のデバイス。
【請求項６】
耐腐食性の内部ガス・ガイド・パイプ（４）が、グラファイトおよびその変性品、セラミック、特に炭化ケイ素および窒化ケイ素、石英ガラス、ならびにプラスチック材料、好ましくはフッ素含有ポリマー、特に好ましくはテトラフルオロパーフルオロアルコキシビニルエーテル共重合体（ＰＦＡ）、ポリテトラフルオロエチレン（ＰＴＦＥ）、ポリフッ化ビニリデン（ＰＶＤＦ）およびポリ（エチレンコクロロトリフルオロエチレン（ＥＣＴＦＥ）からなる群から選ばれる材料で形成されていることを特徴とする請求項１に記載のデバイス。
【請求項７】
操作の間、ガス・ガイド・パイプ（４）はその外側を冷却された凝縮生成物（６）によって包囲されており、該凝縮生成物（６）はガス・ガイド・パイプ（４）の上側端にてガス・ガイド・パイプ（４）の中に流入することを特徴とする請求項２に記載のデバイス。
【請求項８】
請求項１に記載のデバイスの、腐食性のホットガスを冷却するための使用。
【請求項９】
特に１０００〜２０００℃の温度を有するホットガスを、請求項１に記載のデバイスを用いて冷却する方法であって、ホットガスを、デバイスのガス・ガイド・パイプ（４）を通して、凝縮生成物（６）と向流でまたは並流で流れさせて、該凝縮生成物（６）と接触させることによって冷却することを特徴とする、ホットガスを冷却する方法。
【手続補正２】
【補正対象書類名】明細書
【補正対象項目名】００７４
【補正方法】変更
【補正の内容】
【００７４】
冷やされたガスから分離された液体は、装置の液溜め１４に集められ、ポンプ１５によってそこから取り出される。液体の一部は、循環するパイプを通して熱交換器１７へ、冷媒として送られる。その液体は所定のレベルまで冷却され、再び冷却剤としてスプレーノズル１０に最終的に供給され、また耐圧性のジャケット５と内部パイプ４との間でオーバーフローする。好適な制御デバイスは、システム内の冷却剤の量がほぼ一定に保たれることを確保する。凝縮の結果として、過剰となる量の液体は、凝縮生成物１６として取り出される。
尚、本願の発明の好ましい態様には、以下の各事項が含まれる。
［事項１］
耐圧性の壁部（１３）および少なくとも１つの耐腐食性の内部ガス・ガイド・パイプ（４）を有する、ホットガスを冷却するためのデバイス。
［事項２］
少なくとも、ガス入口（１２）、耐圧性の壁部（１３）を有する耐圧性の容器（２）、コンタクト・ゾーン（４）、凝縮生成物（６）を受け入れるためのヘッド領域（３２）および液溜め領域（３１）、冷却されたガス（３）のための出口（３３、９）、液溜め領域（３１）から熱交換器（１０）を通してヘッド領域（３２）へ凝縮生成物（６）を運ぶ循環回路（７、８、１０、２５）を有するデバイスであって、コンタクト・ゾーン（４）は１又はそれ以上のコンタクト・パイプ（４）を有しており、該コンタクト・パイプ（４）の中で凝縮生成物（６）はホットガス（１）と接触させられ、該コンタクト・パイプ（４）は耐腐食性の内部ガス・ガイド・パイプを形成することを特徴とする事項１に記載のデバイス。
［事項３］
容器（２）の液溜め領域（３１）にガス入口（１２）が配置されており、容器（２）のヘッド領域（３２）にガス出口（３３）が配置されおり、コンタクト・パイプ（４）中のガス（１）はコンタクト・パイプ（４）の中で凝縮生成物（６）に対して向流で接触することを特徴とする事項２に記載のデバイス。
［事項４］
容器（２）のヘッド領域（３２）にガス入口（９）が配置されており、容器（２）の液溜め領域（３１）にガス出口（１３）が配置されており、ガス（１）はコンタクト・パイプ（４）の中で凝縮生成物（６）と並流で接触することを特徴とする事項２に記載のデバイス。
［事項５］
デバイスの耐圧性の壁部（１３）が、鋼、鋼合金、特に、クロム、ニッケルもしくはモリブデンとの鋼合金、タンタルおよびタンタル合金からなる群から選ばれた材料によって形成されており、場合によって、前記材料はプラスチック材料もしくはその他の金属材料によってライニングされるかまたは少なくとも部分的に被覆されていることを特徴とする事項１に記載のデバイス。
［事項６］
耐腐食性の内部ガス・ガイド・パイプ（４）が、グラファイトおよびその変性品、セラミック、特に炭化ケイ素および窒化ケイ素、石英ガラス、ならびにプラスチック材料、好ましくはフッ素含有ポリマー、特に好ましくはテトラフルオロパーフルオロアルコキシビニルエーテル共重合体（ＰＦＡ）、ポリテトラフルオロエチレン（ＰＴＦＥ）、ポリフッ化ビニリデン（ＰＶＤＦ）およびポリ（エチレンコクロロトリフルオロエチレン（ＥＣＴＦＥ）からなる群から選ばれる材料で形成されていることを特徴とする事項１または２に記載のデバイス。
［事項７］
ガス入口ノズル（１２、９）が、耐圧性および熱絶縁性を有し、ならびに／または加熱することができることを特徴とする事項１〜６のいずれかに記載のデバイス。
［事項８］
容器（２）のヘッド領域（３２）および／または液溜め領域（３１）が、少なくともガス（１）と接触する部分において、追加的な耐腐食性の壁（１８、７）もしくはコーティングを有することを特徴とする事項１〜７のいずれかに記載のデバイス。
［事項９］
耐圧性の壁部（１３、５）と耐腐食性の壁部（１８、７）との間の隙間に、保護ガス、特に不活性ガスを導入することができることを特徴とする事項７に記載のデバイス。
［事項１０］
操作の間、ガス・ガイド・パイプ（４）はその外側を冷却された凝縮生成物（６）によって包囲されており、該凝縮生成物（６）はガス・ガイド・パイプ（４）の上側端にてガス・ガイド・パイプ（４）の中に流入することを特徴とする事項１〜９のいずれかに記載のデバイス。
［事項１１］
操作の間、耐圧性の壁部は、凝縮生成物（６）と少なくとも部分的に接触することを特徴とする事項１〜１０のいずれかに記載のデバイス、
［事項１２］
操作の間、耐圧性の壁部（１３）とガス・ガイド・パイプ（４）との間に、凝縮生成物（６）が存在することを特徴とする事項１〜１１のいずれかに記載のデバイス。
［事項１３］
冷却された凝縮生成物を噴霧するため、特に霧状化させるためのノズルが、ガス・ガイド・パイプの上側部分に配置されており、特に、冷却されるべきガス（１）が凝縮生成物（６）と並流で導かれることを特徴とする事項１〜１２のいずれかに記載のデバイス、
［事項１４］
事項１〜１３のいずれかに記載のデバイスを、腐食性のホットガスを冷却するための使用。
［事項１５］
ホットガスが、１００〜２０００℃の範囲の温度、好ましくは１１０〜１０００℃までの範囲の温度を有することを特徴とする事項１４の使用。
［事項１６］
ホットガスは、ＨＣｌと酸素との接触気相酸化の生成物ガスであって、特にＨＣｌおよび水を含むことを特徴とする事項１４または１５に記載の使用。
［事項１７］
特に１０００〜２０００℃の温度を有するホットガスを、事項１〜１３のいずれかに記載のデバイスを用いて冷却する方法であって、ホットガスを、デバイスのガス・ガイド・パイプ（４）を通して、凝縮生成物（６）と向流でまたは並流で流れさせて、該凝縮生成物（６）と接触させることによって冷却することを特徴とする、ホットガスを冷却する方法。
［事項１８］
ガス／液体コンタクト・ゾーンの圧力が、１０００バールまでであることを特徴とする事項１７に記載の方法。
［事項１９］
冷却されるガスが塩化水素および水を含んでおり、特に酸素によるＨＣｌの気相酸化の生成物ガスであって、ガスはガス・ガイド・パイプ（４）の領域においてＨＣｌおよび水が凝縮するまで冷却されることを特徴とする事項１７または１８に記載の方法。